(57)【要約】【課題】液滴を導入し得る微小流路に、気体を供給しつつ液滴同士の反応を行う反応装置を提供する。【解決手段】液滴を微小流路中で接触させて反応を行う反応装置であって、微小流路と、前記微小流路に第１の液体を液滴として導入する第１の液滴導入手段と、前記微小流路に第２の液体を液滴として導入する第２の液滴導入手段と、前記第１及び第２の液滴導入手段により前記微小流路に導入された第１及び第２の液滴が接触して生成した混合液滴を前記微小流路に気体を導入して移動させる気体導入手段を有する反応装置。【選択図】図２
2008290027.tif 000002
【特許請求の範囲】
【請求項１】
液滴を微小流路中で接触させて反応を行う反応装置であって、微小流路と、前記微小流路に第１の液体を液滴として導入する第１の液滴導入手段と、前記微小流路に第２の液体を液滴として導入する第２の液滴導入手段と、前記第１及び第２の液滴導入手段により前記微小流路に導入された第１及び第２の液滴が接触して生成した混合液滴を前記微小流路に気体を導入して移動させる気体導入手段を有することを特徴とする反応装置。
【請求項２】
前記気体導入手段が、前記第１及び第２の液滴導入手段よりも微小流路の上流側に配置されていることを特徴とする請求項１に記載の反応装置。
【請求項３】
前記第１及び第２の液滴導入手段が微小流路の同じ位置に配置されており、前記第１及び第２の液滴導入手段から微小流路に導入された第１及び第２の液滴を接触させることを特徴とする請求項１または２に記載の反応装置。
【請求項４】
前記第１及び第２の液滴導入手段が、インクジェット法により液滴を微小流路に導入する吐出手段であることを特徴とする請求項１乃至３のいずれかの項に記載の反応装置。
【請求項５】
液滴を微小流路中で接触させて反応を行う反応方法であって、前記微小流路に第１の液体を液滴として導入する第１の液滴導入工程と、前記微小流路に第２の液体を液滴として導入する第２の液滴導入工程と、前記第１及び第２の液滴導入工程により前記微小流路に導入された第１及び第２の液滴を接触して混合液滴を生成する工程、前記微小流路に気体を導入し前記混合液滴を移動させる気体導入工程を有することを特徴とする反応方法。
【請求項６】
気体が導入された微小流路に、第１の液滴と第２の液滴とを導入し、第１及び第２の液滴を接触して混合液滴を生成し、前記微小流路に気体を導入することにより、気体で両端が満たされた混合液滴を流路中に生成させることを特徴とする請求項５に記載の反応方法。
【請求項７】
前記微小流路に、第１の液滴と第２の液滴とを同時に導入し、第１及び第２の液滴を接触して混合液滴を生成することを特徴とする請求項５または６に記載の反応方法。
【請求項８】
前記微小流路に、混合液滴を生成する工程および前記微小流路に気体を導入する気体導入工程を繰り返して、前記気体で混合液滴間が満たされた複数個の混合液滴を微小流路中に生成させることを特徴とする請求項５乃至７のいずれかの項に記載の反応方法。
【請求項９】
第１の液滴と第２の液滴の導入量を制御することにより、組成が異なる複数の混合液滴を微小流路中に生成させることを特徴とする請求項５乃至８のいずれかの項に記載の反応方法。
【請求項１０】
前記気体中の二酸化炭素濃度が２０％以下であり、酸素濃度が３０％以下であることを特徴とする請求項５乃至９のいずれかの項に記載の反応方法。
【請求項１１】
前記気体が空気であることを特徴とする請求項５乃至１０のいずれかの項に記載の反応方法。
【請求項１２】
第１の液体が細胞を含む液体であり、第２の液体が細胞と反応させる成分を含む液体であることを特徴とする請求項５乃至１１のいずれかの項に記載の反応方法。
【発明の詳細な説明】
【技術分野】
【０００１】
本発明は微小流路を用いた微量な液体の反応装置および反応方法に関する。
【背景技術】
【０００２】
ガラス基板などの上に幅と深さがサブμｍから数百μｍの微小流路を有する反応装置を用いて、種々の化学反応を起こさせる技術が近年注目されている。微小流路での反応には、流路断面積が微小であることから、試薬や検体の体積が少量で済むことに加え、流路での流体の比表面積（単位体積当たりの表面積）が大きくなるので高い除熱効率が得られ反応を効率的に行なわせることができるなどのメリットがある。このため、微小流路は、所定物質の生産を目的とした合成反応や、検査を目的とした試薬と検体との反応を行なわせるための手段としての使用が検討されている。
【０００３】
前記の如き微小流路での反応の一例として、微小流路中に生成させた液滴を反応場として用いる技術が検討されている。液滴は単位体積当たりの表面積が大きいことや、強い表面張力による内部流動が生じるなどの特徴があり、例えば微小反応場として極めて有望と考えられている。
【０００４】
前記のような液滴を生成させる技術の一例として、非特許文献１には、微小流路に水を流し、該微小流路に設置した導入口から有機溶媒（ブチルアセテート）を流入させることにより、水相に挟まれた有機溶媒からなる液滴を、微小流路中に生成させる方法が開示されている。
【非特許文献１】第１１回化学とマイクロ・ナノシステム研究会予稿集，ｐ５３，２００５年
【発明の開示】
【発明が解決しようとする課題】
【０００５】
ところで、種々の生化学反応を微小流路中で行なう技術が近年注目されている。例えば、医療診断などへの応用を目指して、抗原抗体反応や酵素反応などを微小流路中で行なう試みが知られている。また、動物や微生物などの細胞を微小流路中で培養し、薬物刺激に対する応答などを計測する「細胞チップ」の開発が進められている。
【０００６】
このような生化学反応を、前記のような微小流路中の液滴を反応場として行なうことができれば、ハイスループットな分析ツールなどとして幅広い応用が期待できる。従来の有機溶媒を用いて液滴を生成させる方法では、抗体や酵素をつくるタンパク質の有機溶媒による変性や、細胞への有機溶媒によるダメージなどが懸念されるため、有機溶媒を使用しない液滴の生成方法の開発が望まれていた。
【０００７】
また、特に細胞や酸化還元酵素を用いる場合は、液滴への酸素の供給が重要な場合が多く、また、細胞培養用の培地のｐＨ維持には一定濃度の二酸化炭素の供給が重要であり、このような、反応場としての液滴にガス成分を容易に供給可能な微小流路の開発が望まれていた。
【０００８】
さらに、水と有機溶媒の不混和性を利用して、流路中に液滴を生成させる方法では、有機溶剤への親和性がより高い試薬や検体は有機溶媒相に、水への親和性がより高い試薬や検体は水相に分配され、同一の液滴中に両者が並存し難いため、その用途は、有機溶媒相に分配されるもの同士（または水相に分配されるもの同士）の化学・生化学反応などに限定される。また、例えば固定化担体などとして、微粒子などの固体を含む液滴の作製する場合、水溶性の固体は水相に、油溶性の固体は有機溶媒相に、それぞれ溶解するため、使用できる固体は一部の金属等のみで、極めて限定される。上記の理由から、より適用範囲の広い、液滴を反応場とする微小流路の開発が望まれていた。
【０００９】
また、液滴を微小反応場として用いようとする場合、組成の異なる複数の液滴を微小流路中で接触させることができればなお望ましい。例えば、酵素を含む第１の液滴と、基質を含む第２の液滴とを微小流路中で接触することができれば、微小流路中で所望の反応を開始させることができ、反応の制御が容易となる上、短時間での反応やリアルタイムで反応経過を計測する際にも極めて有効である。
【００１０】
さらに、１つの流路中に複数個の液滴を生成させることができれば、同一流路中で複数の反応を並行して行なうことができ、ハイスループットな分析ツールなどとして幅広い応用が期待できる。また、液滴を微小流路中に導入する手段が一定の定量性を備えていれば、複数の液滴の接触による反応の際の、反応液の組成の制御に極めて有用である。
【００１１】
本発明は、この様な背景技術に鑑みてなされたものであり、液滴を導入し得る微小流路に、気体を供給しつつ液滴同士の反応を行う反応装置および反応方法を提供するものである。
【課題を解決するための手段】
【００１２】
上記の課題を解決する反応装置は、液滴を微小流路中で接触させて反応を行う反応装置であって、微小流路と、前記微小流路に第１の液体を液滴として導入する第１の液滴導入手段と、前記微小流路に第２の液体を液滴として導入する第２の液滴導入手段と、前記第１及び第２の液滴導入手段により前記微小流路に導入された第１及び第２の液滴が接触して生成した混合液滴を前記微小流路に気体を導入して移動させる気体導入手段を有することを特徴とする。
【００１３】
上記の課題を解決する反応方法は、液滴を微小流路中で接触させて反応を行う反応方法であって、前記微小流路に第１の液体を液滴として導入する第１の液滴導入工程と、前記微小流路に第２の液体を液滴として導入する第２の液滴導入工程と、前記第１及び第２の液滴導入工程により前記微小流路に導入された第１及び第２の液滴を接触して混合液滴を生成する工程、前記微小流路に気体を導入し前記混合液滴を移動させる気体導入工程を有することを特徴とする。
【発明の効果】
【００１４】
本発明によれば、生化学反応等において、微小流路中の液滴を反応場として反応を行なうことができ、かつ、抗体や酵素をつくるタンパク質の有機溶媒による変性や、細胞への有機溶媒によるダメージなどの懸念がない反応装置および反応方法が提供される。
【００１５】
また、反応場としての液滴にガス成分を容易に供給可能な反応装置が提供される。さらに、有機溶媒相への試薬の溶出等の懸念のない、より適用範囲の広い、液滴を反応場とする反応装置および反応方法が提供される。
【００１６】
また、液滴を微小反応場として用いようとする場合に、組成の異なる複数の液滴を微小流路中で接触させることができる反応装置および反応方法が提供される。さらに、１つの流路中に複数個の液滴を生成させることができ、同一流路中で複数の反応を並行して行なうことができる反応装置および反応方法が提供される。
【発明を実施するための最良の形態】
【００１７】
以下、本発明を詳細に説明する。
本発明に係る反応装置は、液滴を微小流路中で接触させて反応を行う反応装置であって、微小流路と、前記微小流路に第１の液体を液滴として導入する第１の液滴導入手段と、前記微小流路に第２の液体を液滴として導入する第２の液滴導入手段と、前記第１及び第２の液滴導入手段により前記微小流路に導入された第１及び第２の液滴が接触して生成した混合液滴を前記微小流路に気体を導入して移動させる気体導入手段を有することを特徴とする。
【００１８】
前記気体導入手段が、前記第１及び第２の液滴導入手段よりも微小流路の上流側に配置されていることが好ましい。
前記第１及び第２の液滴導入手段が微小流路の同じ位置に配置されており、前記第１及び第２の液滴導入手段から微小流路に導入された第１及び第２の液滴を接触させることが好ましい。
【００１９】
前記第１及び第２の液滴導入手段が、インクジェット法により液滴を微小流路に導入する吐出手段であることが好ましい。
本発明に係る反応方法は、液滴を微小流路中で接触させて反応を行う反応方法であって、前記微小流路に第１の液体を液滴として導入する第１の液滴導入工程と、前記微小流路に第２の液体を液滴として導入する第２の液滴導入工程と、前記第１及び第２の液滴導入工程により前記微小流路に導入された第１及び第２の液滴を接触して混合液滴を生成する工程、前記微小流路に気体を導入し前記混合液滴を移動させる気体導入工程を有することを特徴とする。
【００２０】
気体が導入された微小流路に、第１の液滴と第２の液滴とを導入し、第１及び第２の液滴を接触して混合液滴を生成し、前記微小流路に気体を導入することにより、気体で両端が満たされた混合液滴を流路中に生成させることが好ましい。
【００２１】
前記微小流路に、第１の液滴と第２の液滴とを同時に導入し、第１及び第２の液滴を接触して混合液滴を生成することが好ましい。
前記微小流路に、混合液滴を生成する工程および前記微小流路に気体を導入する気体導入工程を繰り返して、前記気体で混合液滴間が満たされた複数個の混合液滴を微小流路中に生成させることが好ましい。
【００２２】
第１の液滴と第２の液滴の導入量を制御することにより、組成が異なる複数の混合液滴を微小流路中に生成させることが好ましい。
前記気体中の二酸化炭素濃度が２０％以下であり、酸素濃度が３０％以下であることが好ましい。
【００２３】
前記気体が空気であることが好ましい。
第１の液体が細胞を含む液体であり、第２の液体が細胞と反応させる成分を含む液体であることが好ましい。
【００２４】
次に、本発明をさらに詳細に説明する。
本発明において用いられる微小流路とは、流路断面の相当直径（＝（４×流路断面積）／流路断面周囲長）は、０．０１ｍｍ以上２ｍｍ以下の範囲にあることが好ましく、０．０５ｍｍ以上１ｍｍ以下の範囲にあることがさらに好ましい。
【００２５】
微小流路の代表的な形成方法としては、基板に溝を設けて形成する方法と、所定形状の貫通穴が形成された基板を貫通穴のない基板に貼り付けて形成する方法とがある。また、光造形法などの一体成型により基板と一体に形成する方法もある。
【００２６】
基板に溝を形成する方法としては、例えば、機械加工、射出成型および圧縮成型に代表される転写技術、ドライエッチング（ＲＩＥ、ＩＥ、ＩＢＥ、プラズマエッチング、レーザーエッチング、レーザーアブレーション、ブラスト加工、放電加工、ＬＩＧＡ、電子ビームエッチング、ＦＡＢ）、ウエットエッチング（化学浸食）などによる流路あるいは溝部分のエッチング、光造形やセラミックス敷詰等の一体成型、各種物質を層状にコート、蒸着、スパッタリング、堆積し部分的に除去することにより微細構造物を形成する表面マイクロマシニング（Ｓｕｒｆａｃｅ  Ｍｉｃｒｏ−ｍａｃｈｉｎｉｎｇ）等がある。
【００２７】
また、基板を貼り付けて流路を形成する場合の貼り付け方法としては、接着剤による接着、プライマーによる樹脂接合、拡散接合、陽極接合、共晶接合、熱融着、超音波接合、レーザー溶融、溶剤・溶解溶媒による貼り合わせ、粘着テープ、接着テープ、圧着、自己吸着剤による結合、物理的な保持、凹凸による組み合わせが挙げられる。
【００２８】
本発明の微小流路が形成される基板の材質は、樹脂、セラミックス、ガラス、金属など、その種類は特に限定されないが、液滴が水系の液滴である場合、微小流路の表面は疎水的な表面であることが好ましい。微小流路の表面が親水的である場合、流路表面に液体が残留する恐れがあり、複数の液滴を形成させる場合に液滴間のコンタミネーションにつながる可能性がある。同様に、液体が有機溶媒などである場合は、微小流路の表面は親水的であることが好ましい。
【００２９】
基板に、ガラス、金属、セラミックスなどの親水性材料を用いる場合、これを疎水化する方法としては、接着剤、ロウなどの疎水性物質の表面コーティング、表面グラフト法、加工雰囲気に依存する疎水性官能基または疎水性分子の表面への付与を伴う方法（プラズマ法、イオン注入法、レーザー処理等）が挙げられる。
【００３０】
基板に、アクリル樹脂、ポリカーボネート、ポリスチレン、シリコン、ポリウレタン、ポリオレフィン、ポリテトラフルオロエチレン、ポリプロピレン、ポリエチレン、熱可塑性エラストマーなどの疎水性材料を用いる場合、これを親水化する方法としては、表面コーティング、湿式化学的改質、ガス改質、界面活性剤処理、コロナ放電、疎面化、金属の蒸着、金属のスパッタリング、紫外線処理、加工雰囲気に依存する親水性官能基または親水性分子の表面への付与を伴う方法（プラズマ法、イオン注入法、レーザー処理等）が挙げられる。
【００３１】
本発明の気体を導入するための気体導入手段としては、例えば、ガスボンベやガス発生器、エアーポンプ、シリンジポンプなどのガス供給手段を微小流路に接続して用いることができる。また、微小流路の上流側に接続された気体導入口を開放し、微小流路の下流側に接続された排出口より真空ポンプなどで吸引することにより、反応装置の周囲のガスを微小流路中に導入しても良い。
【００３２】
本発明の反応装置を用いて、液滴を反応場として用いるためには、液滴を導入するための手段を複数個備えていることが望ましい。例えば、液滴を導入するための手段を２個設置し、第１の液体を液滴として導入する第１の液滴導入手段から第１の液滴を、第２の液体を液滴として導入する第２の液滴導入手段から第２の液滴を、微小流路中に導入し、両液滴を接触させることにより、微小流路中で反応を開始させることができる。例えば、酵素を含む第１の液滴と、基質を含む第２の液滴とを微小流路中で接触することにより、微小流路中で酵素反応を開始させることができる。このことは、反応の制御を容易とする上、特に短時間での反応やリアルタイムでの反応経過の計測に用いるのにも優れている。
【００３３】
上記の液滴を接触は、第１の液滴を導入するための第１の液滴導入手段から微小流路に導入された第１の液滴に向けて、その下流側に設置された第２の液滴を導入するための第２の液滴導入手段から第２の液滴を導入することによって実現することができる。また、第１の液滴を導入するための第１の液滴導入手段と、第２の液滴を導入するための第２の液滴導入手段とを、微小流路の流れ方向の同じ位置に設置し、第１の液滴と第２の液滴とを同時に微小流路中に導入することによって、微小流路中で両液滴を衝突させて接触させることができる。３つ以上の液滴を接触させる場合も同様の方法で実現することができる。
【００３４】
液滴を導入するための手段としては、例えば、微小流路にシリンジポンプ、マイクロピペット、マイクロディスペンサー、インクジェット法による吐出装置などの、微量の送液が可能な導入手段を接続して用いることができる。特に、安価に作製・入手でき、微小な液滴を制御された液量で吐出できる点で、インクジェット法を用いた吐出装置を特に好適に用いることができる。インクジェット法による吐出手段は、その吐出量や吐出のタイミングを容易に制御できるため、本発明の反応装置を用いた微量な液体の取り扱いには特に好適である。例えば、第１の液滴と第２の液滴との混合比率の制御や、液滴を微小流路中で衝突させて接触させる際の、液滴導入のタイミングの制御を図る上で極めて有効である。さらにインクジェット法の中でも、サーマルインクジェット方式とピエゾインクジェット方式を好適に用いることができ、サーマルインクジェット法による吐出装置は、吐出口の微細加工が容易で、液滴を所定の量およびタイミングで吐出することができる。また、ピエゾインクジェット法による吐出装置は、圧電素子の変位により吐出エネルギーを発生させるので、生物活性物質に熱的なストレスを付加することがなく、液滴を安定して吐出できる。
【００３５】
サーマルインクジェット法による、微小流路への液滴の供給手段を微小流路に接続する方法は適宜選択して用いることができる。例えば、微小流路と同一の基板上に、微小なヒーター等の電気信号を熱に変換する電気熱変換体を設置する方法を採用することができる。電気熱変換体としては、例えば、Ｔａ2Ｎ、ＲｕＯ2、Ｔａ、Ｔａ−Ａｌ合金を始めとする様々な金属、合金、金属化合物からなる発熱抵抗体を備えた電気熱変換体を用いることが出来る。前記の発熱抵抗体は公知の方法、例えばＤＣスパッタ法、ＲＦスパッタ法、イオンビームスパッタ法、真空蒸着法、あるいはＣＶＤ法等によって形成することができる。係る電気熱変換体は、微細孔の内部にあっても、微細孔の外部にあってもよく、また、基板の表面にあっても、基板内部に埋め込まれていても良い。例えば、プリント配線基板を用いて、これをヒーターとし、基板に貼り合わせることで、基板上の任意の場所を所定の温度に設定する電気熱変換体を例示することができ、他方、冷却についても、ペルチェ素子を同様に貼り合わせることで、基板上の任意の場所を所定の温度に設定する電気熱変換体を例示することができる。
【００３６】
図１はサーマルインクジェット法による、微小流路への液滴の供給手段の一例を示す模式図である。基板１に、微小流路２と、液滴を導入するための導入流路３が設けられており、導入流路３は液体４で満たされており、かつ、ヒーター５が設けられている。微小流路２に気体６が供給された状態で、ヒーター５に通電すると、液体４が加熱されて気化し、気泡７が発生する。このとき、液体４の一部が気泡７によって微小流路２内に押し出され、気体６に押されて微小流路２中に導入され、液滴８が形成される。なお、ピエゾインクジェット法についても、ヒーター５がピエゾ素子に置き換わるのみで、液滴形成の基本的な原理は同様である。
【００３７】
本発明の反応装置において、気体が導入された微小流路に、第１の液滴と第２の液滴とを導入し、第１の液滴と第２の液滴とを前記微小流路中で接触させることにより、気体で両端が満たされた混合液滴を流路中に生成させることができる。また、本発明の反応装置を用いれば、気体で液滴間が満たされた複数個の混合液滴を微小流路中に生成させることができる。従って、同一流路中で複数の反応を並行して行なうことができ、ハイスループットな分析ツールなどとして幅広い応用が期待できる。
【００３８】
本発明の反応装置および反応方法は、各種の化学・生化学反応のツールとして用いることができる。例えば、本発明の液滴として、酵素を含む液滴を用いれば、酵素反応の分析や微量物質生産のツールとして用いることができる。この時、例えば、グルコースオキシダーゼ（ＥＣ１．１．３．４）に代表されるある種の酸化酵素は、その反応に酸素を必要とするので、任意の気体雰囲気を液滴周囲に形成させることができる本発明の反応装置は、上記のようなガスを要求する反応にも広く使用することができる、用途の広い方法である。
【００３９】
本発明の反応装置および反応方法を用いれば、このような特定のガスの供給を要求する化学・生化学反応にも適用することが可能であり、従来技術と比較して応用範囲が広い。
また、本発明の液滴として、細胞が懸濁された液滴を用いることができる。細胞培養には、前記の通り、酸素や二酸化炭素の供給やその濃度制御が不可欠である。また、嫌気性の微生物等を培養する場合は、例えば窒素雰囲気下での培養が必要となる。本発明の反応装置は、任意の気体雰囲気を液滴周囲に形成させることができるため、細胞を用いた各種の分析には特に好適に用いることができる。
【００４０】
一般に、細胞を用いた分析の場合、二酸化炭素濃度が２０％以下であり、酸素濃度が３０％以下である気体を用いるのが好適であるが、その種類や濃度は、用途に応じて任意に設定することができる。例えば、動物細胞を使用する場合は、その緩衝液のｐＨを最適に維持するために、一般に５％程度の二酸化炭素を含む空気を気体として用いればよい。また、好気性の微生物を使用する場合は空気を気体として用いればよく、また、嫌気性の微生物を使用する場合は酸素濃度０％の気体を用いればよい。
【００４１】
本発明において用いることのできる細胞としては、原核および真核細胞であればどんなものでも用いることができる。たとえば、細菌細胞、酵母細胞、ニューロン、繊維芽細胞、平滑筋細胞、骨格筋細胞、グリア細胞、胎性幹細胞、造血幹細胞、肥満細胞、脂肪細胞、原生動物細胞、神経幹細胞、ならびにＴ細胞およびＢ細胞を含む免疫細胞などの細胞全体（例えば、形質転換細胞または非形質転換細胞）、細胞塊などを適宜選択して使用できる。
【００４２】
上記の細胞は、懸濁液として、液滴を導入するための手段の一つより微小流路中に供給される。この液滴が、他の液滴を導入するための手段より導入された、例えば各種の薬剤を含む液滴と接触することにより、該細胞が該薬剤に暴露される。微小流路の下流側または排出口の先に検出・分析手段を設置することによって、多数の細胞分析を微小量で実施することが可能となる。この方法は、例えば、薬剤の細胞への影響や効果を調べる分析や、細胞からの分析対象物の抽出など、幅広い用途に使用可能である。
【００４３】
次に、本発明の反応装置の実施形態について説明する。図２乃至図４は、各々本発明の反応装置の実施形態の反応装置を示す概略図である。図２に示すように、本発明の第１の実施形態としての反応装置は、微小流路１２に第１の液体を液滴として導入する第１の液滴導入手段１０と、第２の液体を液滴として導入する第２の液滴導入手段１１と、前記第１及び第２の液滴導入手段により前記微小流路に導入された第１及び第２の液滴が接触して生成した混合液滴を前記微小流路１２に気体を導入して移動させる気体導入手段３０、さらに、気体導入手段の気体導入口９、前記第１の液滴と第２の液滴とを接触させ前記気体により移動させ排出するための微小流路１２及び排出口１３とを少なくとも備えて構成されている。
【００４４】
前記の気体導入口９、第１の液滴導入手段１０、第２の液滴導入手段１１び排出口１３が前記の微小流路１２に接続されている。また、前記の気体導入口９は、第１の液滴導入手段１０、第２の液滴導入手段１１および排出口１３よりも微小流路１２の上流側に接続されている。第１の液滴導入手段１０と第２の液滴導入手段１１は微小流路１２の流れ方向の同じ位置に接続されている。
【００４５】
微小流路１２は、図３に示すように、所定形状の溝１４が設けられた基板１５に対し、この溝１４がある側に基板１６を取り付けることにより、基板１５と基板１６との間に形成される矩形の横断面を有する閉空間として形成される。あるいは、図４に示すように所定形状の貫通穴１７が形成された基板１８を基板１９に貼り付け、基板１８の基板１９に接しない側にさらに基板２０を取り付けることにより、基板１８乃至２０の間に形成される閉空間を微小流路１２として形成するようにしても良い。
【００４６】
本発明の第１の実施形態としての、反応装置を用いた反応方法を図５に示す。微小流路１２には気体導入口９に接続された気体を導入するための気体導入手段より気体が導入されている。第１の液体２１と第２の液体２２とが、第１の液滴を導入するための第１の液滴導入手段１０および第２の液滴を導入するための第２の液滴導入手段１１によって、微小流路１２に同時に供給される。これは、例えば液滴を導入する手段としてインクジェット法を用いる場合には、第１の液滴導入手段１０と第２の液滴導入手段１１に同時に通電することによって行われる。第１の液滴導入手段１０によって導入された第１の液滴と、第２の液滴導入手段１１によって導入された第２の液滴とは、合流点２３で衝突して接触し、一つの混合液滴となる。この時点で混合液滴中での反応が開始される。混合液滴は、導入口９より導入される気体によって微小流路１２中を移動して、該気体に挟まれた混合液滴２４になる。混合液滴２４は、微小流路１２中を移動しながら反応するので、この部分に検出手段を設置すれば、反応のモニタリング等が可能である。反応が終了した混合液滴２４は、排出口１３から微小流路１２の外に排出される。この排出された混合液滴を分析対象とすることもできる。また、第１の液滴導入手段１０および第２の液滴導入手段１１から次々と液滴を導入することによって、微小流路１２中に複数個の混合液滴２４を形成させることができる。
【００４７】
次に、本発明の第２の実施形態としての反応装置について説明する。図６は本実施形態の反応装置について示す図である。本発明の第２の実施形態としての反応装置は、図６に示すように、気体導入口２５と、第１の液滴を導入するための第１の液滴導入手段２６と、第２の液滴を導入するための第２の液滴導入手段２７と、前記第１の液滴と第２の液滴とを接触させ前記気体により移動させ排出するための微小流路２８及び排出口２９とを少なくとも備えて構成されており、前記の気体導入口２５、第１の液滴導入手段２６、第２の液滴導入手段２７及び排出口２９が前記の微小流路２８に接続されている。また、前記の気体導入口２５は、第１の液滴導入手段２６、第２の液滴導入手段２７および排出口２９よりも微小流路２８の上流側に接続されており、かつ、前記の気体を導入するための手段と接続されている。第１の液滴導入手段２６は第２の液滴導入手段２７よりも、微小流路１２の流れ方向の上流側の位置に接続されている。
【００４８】
本発明の第２の実施形態としての、反応装置を用いた微量液体の反応方法の概要は、第１の実施形態と同様である。ただし、第１の液滴と第２の液滴との接触は、まず第１の液滴導入手段２６によって第１の液滴を導入し、次にこの液滴に向けて、第２の液滴導入手段２７によって第２の液滴を吐出して衝突させることによって実現する。
【実施例】
【００４９】
以下、実施例を示して本発明をより詳細に説明する。
実施例１
図２および図４に示した反応装置を作製した。ガラス基板上に流路の幅０．３ｍｍ、高さ０．５ｍｍの微小流路１２と、サーマルインクジェット法による液滴を導入するための第１の液滴導入手段１０、第２の液滴導入手段１１としてのヒーターを形成した、反応装置を作製する。貫通穴１７は厚さ０．５ｍｍのガラス基板１８上にブラストマスクを設置し、サンドブラスト加工により貫通させたのち、厚さ０．５ｍｍのガラス基板２０に同様にして導入および排出のための貫通孔を形成させたものを上面に、貫通孔のない厚さ０．５ｍｍのガラス基板１９を下面に、それぞれ接着剤で貼り合わせて作製する。この際、Ｔａ2Ｎからなる発熱抵抗体を電源に接続したものをヒーターとして第１の液滴導入手段１０、第２の液滴導入手段１１の部位に組み込む。また、微小流路１２の表面は、前記の接着剤で予めコーティングして疎水化しておく。
【００５０】
図５に示すように、気体導入口９にシリンジポンプを接続して空気を導入し、手段１０より０．５μＬの１ｇ／Ｌグルコース溶液を、手段１１より０．５μＬのグルコース測定用呈色試薬（グルコースＣ−ＩＩテストワコー、和光純薬工業社製：グルコースオキシダーゼ／ペルオキシダーゼ発色系）を、同時に微小流路１２に導入すると、合流点２３において両液滴が接触し、酵素反応および呈色反応が開始する。この液滴２４は、微小流路１２中を移動しながら反応を進行させ、排出口１３に至るまでに、反応が進行したことを示す赤色を呈する。なお、空気の導入量は、液滴２４が導入されてから排出口１３に至るまでの時間が５分間となるよう、流量を調整する。
【００５１】
実施例２
サーマルインクジェット法による液滴を導入するための手段の替わりに、ピエゾインクジェット法による吐出装置を第１の液滴導入手段１０、第２の液滴導入手段１１として用いる以外は、実施例１と同様にして酵素反応および呈色反応を行う。排出口１３に至るまでに、液滴２４は実施例１と同様の赤色を呈する。
【００５２】
実施例３
サーマルインクジェット法による液滴を導入するための手段の替わりに、シリンジポンプを接続して第１の液滴導入手段１０、第２の液滴導入手段１１とする以外は、実施例１と同様にして酵素反応および呈色反応を行う。排出口１３に至るまでに、液滴２４は実施例１と同様の赤色を呈する。
【００５３】
比較例１
気体導入口９に接続したシリンジポンプより、空気の替わりにブチルアセテートを導入する以外は、実施例３と同様にして酵素反応および呈色反応を行う。排出口１３に至るまでに、液滴２４は、実施例３と比較して弱い赤色しか呈しないので、有機溶媒による酵素活性阻害や酸素不足、有機溶媒相への呈色試薬等の溶出等による反応阻害が起こることが示される。
【００５４】
実施例４
実施例１と同様の方法で、液滴２４を連続して微小流路１２中に形成させれば、微小流路１２中の複数個の液滴２４が実施例１と同様の赤色を呈する。
【００５５】
実施例５
図２および図４に示した反応装置の替わりに、図６に示した反応装置を用いて、手段２６より導入されたグルコース溶液の液滴が手段２７の位置に移動した時点で、手段２７よりグルコース測定用呈色試薬を導入し液滴を接触させる以外は、実施例１と同様にして酵素反応および呈色反応を行なえば、排出口２９に至るまでに、液滴は実施例１と同様の赤色を呈する。
【００５６】
実施例６
１ｇ／Ｌグルコース溶液の替わりにＨｅｐＧ２細胞の懸濁液（２×１０4個／ｍｌ）を用い、グルコース測定用呈色試薬の替わりにアデノシン三リン酸（ＡＴＰ）測定用試薬（東洋ビーネット社製；ホタルルシフェラーゼ発光法）を用いる以外は、実施例１と同様にして酵素反応および呈色反応を行なえば、排出口１３に至るまでに、液滴２４は細胞が生細胞であることを示す発光を呈する。
【００５７】
実施例７
サーマルインクジェット法による液滴を導入するための手段の替わりに、シリンジポンプを接続して第１の液滴導入手段１０、第２の液滴導入手段１１とする以外は、実施例６と同様にして反応を行なえば、排出口１３に至るまでに、液滴２４は実施例６と同様に発光する。
【００５８】
比較例２
気体導入口９に接続したシリンジポンプより、空気の替わりにブチルアセテートを導入する以外は、実施例６と同様にして酵素反応および呈色反応を行なえば、排出口１３に至るまでに、液滴２４は発光しないので、有機溶媒の毒性や酸素不足による細胞の死滅、有機溶媒によるルシフェラーゼ反応の阻害、有機溶媒相への呈色試薬等の溶出等による反応阻害が起こることが示される。
【００５９】
実施例８
ＨｅｐＧ２細胞の替わりにＨＬ６０細胞を用いる以外は、実施例６と同様にして反応を行なえば、排出口１３に至るまでに、液滴２４は実施例６と同様に発光する。
【００６０】
実施例９
ＨｅｐＧ２細胞の替わりに大腸菌を用いる以外は、実施例６と同様にして反応を行なえば、排出口１３に至るまでに、液滴２４は実施例６と同様に発光する。
【００６１】
実施例１０
第１の液滴導入手段１０、第２の液滴導入手段１１の下流に第三の液滴を導入するための手段を設置し、手段１０により被検薬剤の溶液を、第三の液滴を導入するための手段によりＡＴＰ測定用試薬を導入するよう構成し、かつ、手段１０のサーマルインクジェットの吐出量を、連続的な吐出とその回数制御によって変化させる以外は、実施例６と同様にして反応を行なえば、前記被検薬剤の細胞に及ぼす影響、即ち、細胞の生死や活性の判断基準であるＡＴＰ量への影響を、複数の暴露濃度設定で調べることができる。
【産業上の利用可能性】
【００６２】
本発明の反応装置によれば、生化学反応等において、微小流路中の液滴を反応場として反応を行なうことができ、かつ、抗体や酵素をつくるタンパク質の有機溶媒による変性や、細胞への有機溶媒によるダメージなどの懸念がないので、ハイスループットな分析ツールなどとして利用することができる。
【図面の簡単な説明】
【００６３】
【図１】本発明の反応装置におけるサーマルインクジェット法による微小流路への液滴の供給手段を示す模式図である。
【図２】本発明の第１の実施の形態としての反応装置の構成を示す模式図である。
【図３】本発明の第１の実施の形態としての反応装置の構成を示す模式的な横断面図であり、図２のＸ−Ｙ断面に相当する模式図である。
【図４】本発明の第１の実施の形態としての反応装置の構成を示す模式的な横断面図であり、図２のＸ−Ｙ断面に相当する模式図である。
【図５】本発明の第１の実施の形態としての反応装置を用いた微量液体の反応方法を示す概略図である。
【図６】本発明の第２の実施の形態としての反応装置の構成を示す模式図である。
【符号の説明】
【００６４】
１  基板
２  微小流路
３  導入流路
４  液体
５  ヒーター
６  気体
７  気泡
８  液滴
９  気体導入口
１０  第１の液滴導入手段
１１  第２の液滴導入手段
１２  微小流路
１３  排出口
１４  溝
１５  基板
１６  基板
１７  貫通穴
１８  基板
１９  基板
２０  基板
２１  第１の液体
２２  第２の液体
２３  合流点
２４  混合液滴
２５  気体導入口
２６  第１の液滴導入手段
２７  第２の液滴導入手段
２８  微小流路
２９  排出口
３０  気体導入手段
【図１】
2008290027.tif 000003
【図２】
2008290027.tif 000004
【図３】
2008290027.tif 000005
【図４】
2008290027.tif 000006
【図５】
2008290027.tif 000007
【図６】
2008290027.tif 000008